(57)【特許請求の範囲】
【請求項１】
複数のホログラムのうち、所定の組み合わせによる半数のホログラムのみが破壊又は消去されることによって得られる識別情報が記録されたデータ記録領域が形成されているカード型光記録媒体の前記データ記録領域に単色光を照射し、前記複数のホログラムを再生させて撮像するホログラム再生手段と、
前記撮像されたホログラムを画像認識して前記識別情報を検出する画像認識手段と、
前記検出された識別情報に応じて、あらかじめデータベースに登録されている個人情報を読み込むデータベース読み込み手段と、
前記読み込まれた個人情報を表示する表示手段と
を備えたことを特徴とするカード認証システム。
【請求項２】
複数のホログラムのうち、所定の組み合わせによる半数のホログラムのみが破壊又は消去されることによって得られる識別情報と個人情報とが記録されたデータ記録領域が形成されているカード型光記録媒体の前記データ記録領域に単色光を照射し、前記複数のホログラムを再生させて撮像するホログラム再生手段と、
前記撮像されたホログラムを画像認識して前記識別情報と前記個人情報とを検出すると共に、前記識別情報の真偽を判定する画像認識手段と、
前記判定された真偽の結果が真であった場合にのみ、前記個人情報を表示する認識結果表示手段と
を備えたことを特徴とするカード認証システム。
【請求項３】
複数のホログラムのうち、所定の組み合わせによる半数のホログラムのみが破壊又は消去されることによって得られる第１の識別情報と許可情報とが記録されたデータ記録領域と、第２の識別情報とデータベース検索情報とが記録されて且つ前記許可情報に基づいてのみ読み出し又は書き換えが可能なＩＣモジュールとがそれぞれ形成されているカード型光記録媒体の前記データ記録領域に単色光を照射し、前記複数のホログラムを再生させて撮像するホログラム再生手段と、
前記撮像されたホログラムを画像認識して前記第１の識別情報と前記許可情報とを検出する画像認識手段と、
前記検出された許可情報に基づいて、前記ＩＣモジュールへのアクセスコードを生成するアクセスコード生成手段と、
前記生成されたアクセスコードに基づき前記ＩＣモジュールから前記第２の識別情報を読み出すＩＣデータ読み出し手段と、
前記検出された第１の識別情報と前記読み出された第２の識別情報とを比較して一致したときにのみ、前記ＩＣモジュールから前記データベース検索情報を読み出して、この検索情報に基づいてあらかじめデータベースに登録されている個人情報を読み込むデータベース読み込み手段と、
前記第１及び第２の識別情報の比較結果が一致したときのみ、前記個人情報を表示する認識結果表示手段と
を備えたことを特徴とするカード認証システム。
【請求項４】
複数のホログラムのうち、所定の組み合わせによる半数のホログラムのみが破壊又は消去されることによって得られる第１の識別情報と許可情報とが記録されたデータ記録領域と、データベース検索情報が記録されて且つ前記許可情報に基づいてのみ読み出し又は書き換えが可能なＩＣモジュールとがそれぞれ形成されているカード型光記録媒体の前記データ記録領域に単色光を照射し、前記複数のホログラムを再生させて撮像するホログラム再生手段と、
前記撮像されたホログラムを画像認識して前記第１の識別情報と前記許可情報とを検出する画像認識手段と、
前記検出された許可情報に基づいて、前記ＩＣモジュールへのアクセスコードを生成するアクセスコード生成手段と、
前記生成されたアクセスコードに基づき前記ＩＣモジュールから前記データベース検索情報を読み出すＩＣデータ読み出し手段と、
前記読み出された検索情報に応じて、あらかじめデータベースに登録されている第２の識別情報と個人情報とを読み込むデータベース読み込み手段と、
前記検出された第１の識別情報と前記読み込まれた第２の識別情報とを比較して一致したときのみ、前記個人情報を表示する認識結果表示手段と
を備えたことを特徴とするカード認証システム。
【発明の詳細な説明】
【０００１】
【発明の属する技術分野】
本発明は、個人用ＩＤカードとして使用されるカード型光記録媒体の認証システムに関するものである。
【０００２】
【従来の技術】
従来より、個人識別情報を記録したＩＣチップや磁気記録領域を設けたカード型の記録媒体に顔写真を貼り付けると共に氏名などを記載した個人用ＩＤカードが実用化されている。
【０００３】
この個人用ＩＤカードは、社員証や通行証などとして使用され、本人の認証を行うものであるため、ＩＣチップや磁気記録領域に記録されている個人識別情報が不正に書き換えたりして作られた偽造カードが使用されない様に、カードの真偽を正しく認識する必要がある。
【０００４】
【発明が解決しようとする課題】
しかしながら、ＩＣチップや磁気記録領域は基本的に書き換えることが可能であり、偽造を完全に防ぐという点で課題があった。また、所有者本人が利用していることを確実に確認できる必要があった。
【０００５】
そこで本発明は、セキュリティ性を高くするために、不可逆性を有しているので、新しい情報の追記録は可能だが情報の書き換えは不可能であるホログラムを個人用ＩＤカードに用いている。そして、本発明ではこのような個人用ＩＤカードを認証するカード認証システムを提供することを目的とする。
【０００６】
【課題を解決するための手段】
上記目的を達成するための手段として、以下に示すカード認証システムを提供しようとするものである。
【０００８】
１．複数のホログラムのうち、所定の組み合わせによる半数のホログラムのみが破壊又は消去されることによって得られる識別情報が記録されたデータ記録領域が形成されているカード型光記録媒体の前記データ記録領域に単色光を照射し、前記複数のホログラムを再生させて撮像するホログラム再生手段と、前記撮像されたホログラムを画像認識して前記識別情報を検出する画像認識手段と、前記検出された識別情報に応じて、あらかじめデータベースに登録されている個人情報を読み込むデータベース読み込み手段と、前記読み込まれた個人情報を表示する表示手段とを備えたことを特徴とするカード認証システム。
【０００９】
２．複数のホログラムのうち、所定の組み合わせによる半数のホログラムのみが破壊又は消去されることによって得られる識別情報と個人情報とが記録されたデータ記録領域が形成されているカード型光記録媒体の前記データ記録領域に単色光を照射し、前記複数のホログラムを再生させて撮像するホログラム再生手段と、前記撮像されたホログラムを画像認識して前記識別情報と前記個人情報とを検出すると共に、前記識別情報の真偽を判定する画像認識手段と、前記判定された真偽の結果が真であった場合にのみ、前記個人情報を表示する認識結果表示手段とを備えたことを特徴とするカード認証システム。
【００１０】
３．複数のホログラムのうち、所定の組み合わせによる半数のホログラムのみが破壊又は消去されることによって得られる第１の識別情報と許可情報とが記録されたデータ記録領域と、第２の識別情報とデータベース検索情報とが記録されて且つ前記許可情報に基づいてのみ読み出し又は書き換えが可能なＩＣモジュールとがそれぞれ形成されているカード型光記録媒体の前記データ記録領域に単色光を照射し、前記複数のホログラムを再生させて撮像するホログラム再生手段と、前記撮像されたホログラムを画像認識して前記第１の識別情報と前記許可情報とを検出する画像認識手段と、前記検出された許可情報に基づいて、前記ＩＣモジュールへのアクセスコードを生成するアクセスコード生成手段と、前記生成されたアクセスコードに基づき前記ＩＣモジュールから前記第２の識別情報を読み出すＩＣデータ読み出し手段と、前記検出された第１の識別情報と前記読み出された第２の識別情報とを比較して一致したときにのみ、前記ＩＣモジュールから前記データベース検索情報を読み出して、この検索情報に基づいてあらかじめデータベースに登録されている個人情報を読み込むデータベース読み込み手段と、前記第１及び第２の識別情報の比較結果が一致したときのみ、前記個人情報を表示する認識結果表示手段とを備えたことを特徴とするカード認証システム。
【００１１】
４．複数のホログラムのうち、所定の組み合わせによる半数のホログラムのみが破壊又は消去されることによって得られる第１の識別情報と許可情報とが記録されたデータ記録領域と、データベース検索情報が記録されて且つ前記許可情報に基づいてのみ読み出し又は書き換えが可能なＩＣモジュールとがそれぞれ形成されているカード型光記録媒体の前記データ記録領域に単色光を照射し、前記複数のホログラムを再生させて撮像するホログラム再生手段と、前記撮像されたホログラムを画像認識して前記第１の識別情報と前記許可情報とを検出する画像認識手段と、前記検出された許可情報に基づいて、前記ＩＣモジュールへのアクセスコードを生成するアクセスコード生成手段と、前記生成されたアクセスコードに基づき前記ＩＣモジュールから前記データベース検索情報を読み出すＩＣデータ読み出し手段と、前記読み出された検索情報に応じて、あらかじめデータベースに登録されている第２の識別情報と個人情報とを読み込むデータベース読み込み手段と、前記検出された第１の識別情報と前記読み込まれた第２の識別情報とを比較して一致したときのみ、前記個人情報を表示する認識結果表示手段とを備えたことを特徴とするカード認証システム。
【００１６】
【発明の実施の形態】
本発明のカード認証システムは、図１に示すようなカード型の光記録媒体を個人用ＩＤカードに使用したときのカードの真偽を認証すると共に必要に応じて個人情報を表示可能にするものである。この図１に示す個人用ＩＤカード１０は、複数のホログラム（ＣＧＨ：computer generated hologram）により少なくとも１枚１枚異なるカードＩＤ（識別情報）が記録されているデータ記録領域１１、個人の顔写真が印刷されている顔写真領域１２、氏名などの個人情報が印刷されている情報印刷領域１３、また、必要に応じてＩＣモジュール（及び／又は磁気記録領域）１４が設けられている。
【００１７】
ここで、データ記録領域１１に記録されている識別情報は、１枚１枚異なる内容を有しており、カード作成時にデータ記録領域１１に設けられている複数のＣＧＨのうち所定数を破壊することにより、書き換え不可能なように記録されている。
【００１８】
図４は光記録媒体（個人用ＩＤカード）１０を発行する際に、個々のカードに固有の識別情報（カードを１枚１枚特定することができる情報）をデータ記録領域１１のＣＧＨの列に記録する方法の例を説明するための図である。ここで、ＣＧＨの列に情報を記録するという意味は、ＣＧＨの列に含まれるＣＧＨのうちの所定数を破壊して、その破壊したＣＧＨの位置（又は破壊されていないＣＧＨの位置）によって異なる意味を持たせるということである。
【００１９】
具体的にどの位置のＣＧＨを破壊するかは、コンビネーションにより決定する。コンビネーション破壊は、例えば１０個のＣＧＨ２８のうち、必ず５個を破壊するようにした場合には、図４に示す様に、10Ｃ5＝２５２通りの意味を持つことができる。そして、この場合には、どの組み合わせにおいても破壊したＣＧＨの数と非破壊のＣＧＨの数は共に必ず５個となるので、偽造するためにこの組み合わせを書き変えようとして他のＣＧＨも破壊した場合には、非破壊のＣＧＨの数が５個よりも少なくなり、ＣＧＨの示すデータは意味を持たなくなる。このように、ＣＧＨは不可逆性なメモリであり、また、破壊されたＣＧＨを再現することは不可能なので、一度ＣＧＨに情報を記録した後は、書き換えを行うことはできない。仮に同じＣＧＨの情報を再現しようとする場合には、何らかの方法でＣＧＨのレプリカをとったり、内容を解析しなければならず、その方法は複雑である。したがって、このＣＧＨの列に情報を記録することは、偽造などに対し、極めて有効な手段となる。
【００２０】
そして、例えばＣＧＨが３０個並んだ列（複数列にしてもかまわない）の場合、30Ｃ15＝約１．５億通りの表現を行うことができ、日本の人口分の異なる情報を持つカード１０を発行することが可能となる。さらに、５０個のＣＧＨ２８を配置した場合には、50Ｃ25＝約１２６兆通りの表現が可能であり、全世界の人口以上の数のカード１０にユニークな番号を付与することが十分可能となる。また、このようにＹＡＧレーザなどを用いてＣＧＨにデータを記録することは、個人用ＩＤカード１０の発行よりも前の段階（製造時）で行うので、記録装置そのものは工場に設置しておけば良い。したがって、個人用ＩＤカード１０の発行や認証を行う場所では、ＣＧＨを読み取るだけで記録手段を持たない光記録媒体再生装置のみを設置するだけでも良い。但し、後述するように、複数のＣＧＨが設けられたデータ記憶領域１１に追記記録する部分（第２の記録部）をあらかじめ用意しておき、カード発行システム１でそこに情報を追記する場合には、カード発行所でもＣＧＨへのデータ記録を可能にする必要がある。この場合、識別情報の記録された部分（第１の記録部）には、読み取りアクセスのみを許可し、書き込みはできない様に設定しておけば良い。
【００２１】
このような個人用ＩＤカード１０を認証するカード認証システム３は、図２に示すような全体システムで用いられる。図２において、カード発行システム１は、既に識別情報がデータ記憶領域１１に記録されているが他の情報は記録されていない生カードと呼ばれるカードに顔写真情報、氏名、性別、生年月日、血液型、等の個人情報を記録する共に顔写真や氏名などの情報を視覚的に分かるように印刷するものである。このとき、個人情報や顔画像情報をカード発行システム１側で登録する場合にはその内容をデータベース２にも登録し、既にデータベース２に登録済みの個人情報を使用する場合にはデータベース２からカード発行システム１にその情報を受け取る。そして、いずれの場合にも生カードのデータ記憶領域１１に記録されている識別情報をカード発行システム１で読み取り、この識別情報をデータベース２に送信して、個人情報と対応づけて登録する。
【００２２】
そして、認証システム３での認証は、認証システム３から識別情報を含むカード情報をデータベース２に送信し、識別情報に対応する個人情報をデータベース２から認証システム３に送信することにより、認証システム３での認証が可能になる。なお、必要な個人情報の全てを個人用ＩＤカード１０内に記録する場合は、データベース２を使用することなく、カード発行システム１にて発行された個人用ＩＤカード１０をカード認証システム３単独で認証することもできる。
【００２３】
ここで、本発明のカード認証システム３の一実施の形態の構成を図３に示す。なお、このカード認証システム３の各構成要素は必ずしも全て必要ではなく、以下に説明する各実施例により、必要な構成が適宜選択構成される。
【００２４】
図３において、ＣＧＨ再生手段３１は、個人用ＩＤカード１０のデータ記録領域１１からＣＧＨの再生画像を取り出す手段であり、各ＣＧＨに単色光を照射して得られる回折光の焦点位置にＣＣＤなどの撮像素子を設けて撮像することにより、ＣＧＨ再生画像を得て出力するものである。ＣＧＨ再生画像は画像認識手段３２に供給され、あらかじめ記憶されている再生画像の再生位置情報（基本位置情報）や再生画像の意味する内容（認識パラメータ）と照合されて、その内容を認識する。
【００２５】
また、ＣＧＨの認識結果にＩＣモジュール１４へのアクセスキー（許可情報）が含まれている場合には、その許可情報をアクセスコード生成手段３３に供給してＩＣモジュール１４へのアクセスコード（ＣＳＣ）を生成し、ＩＣデータ読み出し手段３４に供給して、個人用ＩＤカード１０のＩＣモジュール１４に記録されている情報（カードデータ）を読み出して表示手段３６にて表示する。
【００２６】
そして、このＣＧＨの認識結果に含まれる識別情報や、ＩＣモジュール１４にカードデータとして記録されているデータベースの検索情報を使用して、ＤＢ読み込み手段３５により、データベース２へアクセスして、データベース２に登録されている所有者情報（個人情報）やカード識別情報などを読み出し、ＤＢ情報照合・表示手段３７にてＩＣデータ読み出し手段３４から出力される個人情報（カードデータ）やＣＧＨの認識結果と照合して結果表示を行う。なお、情報照合・表示手段３７による照合は個人情報の一部のみを照合するものであっても良い。
【００２７】
さらに、カード所有者の認証も行う場合には、ビデオカメラやデジタルカメラ、指紋検出装置、キー入力装置など情報入力手段３８から所有者の顔の撮影、指紋画像の取り込み、暗証番号の入力などを行い、画像情報照合・表示手段３９により、データベース２やＩＣモジュール１４などに記録されている顔画像、指紋情報、暗証番号などと照合して所有者の認証を行ない表示する。なお、顔、指紋情報の照合は、顔、指紋画像そのものの類似性を判断しても良いし、顔、指紋画像の特徴点を抽出もしくは既に抽出されて記録されている特徴点と比較しても良い。さらに、情報入力手段３８からの顔、指紋情報と記憶されている顔、指紋情報の両方を画像情報照合・表示手段３９に出力してオペレータが判断できるようにしても良い。
【００２８】
そして、認証履歴やカードの状態などをデータベース２やＩＣモジュール１４に記録する場合には、書き込み手段４０により、それらの情報をデータベース２又はＩＣモジュール１４に書き込む。
【００２９】
次に、本発明の各実施態様について図面と共に説明する。なお、図３は各実施態様共通で参照するものとする。
【００３０】
図３及び図５を参照しながら以下に説明する第１の実施の態様は、個人用ＩＤカード１０のデータ記録領域１１に記録されている識別情報を利用してデータベース２に登録されている個人情報を読み出して表示するカード認証システムである。この場合、図５に示すように、データ記録領域１１には、識別情報のみが記録されていれば良く、データベース２には、この識別情報に対応して個人情報が登録されている。また、ＩＣモジュール１４や磁気記録領域のない個人用ＩＤカード１０とすることも可能である。
【００３１】
そして、個人用ＩＤカード１０を認証する際には、ＣＧＨ再生手段（再生手段）３１及び画像認識手段（読み出し手段）３２から得られる識別情報を利用して、ＤＢ読み込み手段（入手手段）３５によりデータベース２へアクセスして、個人情報などを読み出し、ＣＧＨ、ＩＣ、ＤＢ３つの情報の共通項で照合を行ってＤＢ情報照合・表示手段３７に出力する。このとき、画像認識手段３２により識別情報が偽造又は識別情報が再生できないと判断された場合もしくは照合において一致しない情報がある場合には、その旨の情報をＤＢ情報照合・表示手段３７に表示する。また、必要に応じて図示しない回収手段により個人用ＩＤカード１０を回収するようにしても良い。
【００３２】
図３及び図６を参照しながら以下に説明する第２の実施の態様は、個人用ＩＤカード１０のデータ記録領域１１を少なくとも第１の記録部と第２の記録部の２つの領域に分けておき、第１の記録部に識別情報を記録しておくと共に第２の記録部に個人情報を記録しておき、データ記録領域１１から情報を読み出して表示するカード認証システムである。この場合、図６に示すように、データ記録領域１１には、識別情報と個人情報とが記録されているので、データベース２にアクセスすることなく、カード認証システム単独でカードの認証が可能になる。また、ＩＣモジュール１４や磁気記録領域のない個人用ＩＤカード１０とすることも可能である。
【００３３】
そして、個人用ＩＤカード１０を認証する際には、ＣＧＨ再生手段３１から得られるＣＧＨ再生像が画像認識手段３２に供給されてその識別情報が正規のものであると判断された場合には、ＣＧＨ再生像から得られる個人情報などを認識結果表示手段３６に出力して表示する。このとき、画像認識手段３２により正規の識別情報が得られない、又は認識情報が再生できないと判断された場合には、その旨を示す情報を認識結果表示手段３６にて表示する。この場合も必要に応じて図示しない回収手段により個人用ＩＤカード１０を回収するようにしても良い。
【００３４】
図３及び図７を参照しながら以下に説明する第３の実施の態様は、個人用ＩＤカード１０のデータ記録領域１１に記録されている許可情報を利用してＩＣモジュール１４に記録されている識別情報を読み出し、データ記録領域１１に記録されている識別情報と一致したときのみ、データベース２に登録されている個人情報を読み出して表示するカード認証システムである。この場合、図７に示すように、データ記録領域１１には、識別情報と許可情報が記録されており、ＩＣモジュール１４には、識別情報及びデータベース検索情報が記録されている。また、データベース２には、この識別情報に対応して個人情報がデータベース検索情報により検索できる形式で登録されている。ＩＣモジュール１４はデータ記録領域１１に記録されている許可情報を利用することによってのみ、読み出し・書き込みが可能となっている。
【００３５】
そして、個人用ＩＤカード１０を認証する際には、ＣＧＨ再生手段（再生手段）３１及び画像認識手段（第１の読み出し手段）３２により、データ記録領域（第１のデータ記録領域）１１に記録されている許可情報と識別情報とを読み出し、この許可情報をアクセスコード生成手段３３に供給してＩＣモジュール（第２のデータ記録領域）１４へのアクセスコード（ＣＳＣ）を生成し、ＩＣデータ読み出し手段（第２の読み出し手段）３４に供給して、個人用ＩＤカード１０のＩＣモジュール１４に記録されている識別情報を読み出す。
【００３６】
そして、データ記録領域１１から読み出した識別情報とＩＣモジュール１４から読み出した識別情報とが一致しているときのみ、ＤＢ読み込み手段（入手手段）３５によりデータベース検索情報を使用してデータベース２へアクセスして、個人情報などを読み出し、認識結果表示手段３６に出力する。このとき、画像認識手段３２により識別情報が偽造又は認識情報が再生できないと判断された場合や、データ記録領域１１から読み出した識別情報とＩＣモジュール１４から読み出した識別情報とが一致しない場合には、偽造もしくはアクセス不可などの表示を認識結果表示手段３６にて行ない、データベース２へアクセスしないか、不正カードである旨データベース２へ送信するようにする。さらに、ＩＣモジュール１４から読み出した情報と、データベース２に登録されている情報が一致しない、又は画像認識手段３２にて得られた識別情報とデータベース２に登録されている情報とが一致しない場合には、その旨を示す情報をＤＢ情報照合・表示手段３７に表示する。
【００３７】
また、ＩＣモジュール１４内に識別情報と個人情報とを記録した場合には、データベース２を使用しないでカードの認証を行うことができる。すなわち、ＣＧＨ再生手段（再生手段）３１及び画像認識手段（第１の読み出し手段）３２により、データ記録領域（第１のデータ記録領域）１１に記録されている許可情報と識別情報とを読み出し、この許可情報をアクセスコード生成手段３３に供給してＩＣモジュール（第２のデータ記録領域）１４へのアクセスコード（ＣＳＣ）を生成し、ＩＣデータ読み出し手段（第２の読み出し手段）３４に供給して、個人用ＩＤカード１０のＩＣモジュール１４に記録されている識別情報を読み出す。
【００３８】
そして、データ記録領域１１から読み出した識別情報とＩＣモジュール１４から読み出した識別情報とが一致しているときのみ、ＩＣデータ読み出し手段３４を使用して、ＩＣモジュール１４から個人情報などを読み出し、表示手段３６に出力する。このとき、画像認識手段３２により識別情報が偽造又は認識情報が再生できないと判断された場合や、データ記録領域１１から読み出した識別情報とＩＣモジュール１４から読み出した識別情報とが一致しない場合には、偽造もしくはアクセス不可などの表示を表示手段３７にて行ない、ＩＣモジュール１４に記録されている個人情報は表示しない。このとき、ＩＣモジュール１４に不正カードである旨記録するようにしても良い。
【００３９】
また、個人用ＩＤカード１０を認証する別の方法として、データ記録領域（第１のデータ記録領域）１１には許可情報と識別情報とを記録しておき、ＩＣモジュール（第２のデータ記録領域）１４にはデータベース検索情報のみを記録しておく様にしても良い。この場合は、ＣＧＨ再生手段（再生手段）３１及び画像認識手段（第１の読み出し手段）３２により、データ記録領域（第１のデータ記録領域）１１に記録されている許可情報と識別情報とを読み出し、この許可情報をアクセスコード生成手段３３に供給してＩＣモジュール（第２のデータ記録領域）１４へのアクセスコード（ＣＳＣ）を生成し、ＩＣデータ読み出し手段（第２の読み出し手段）３４に供給して、個人用ＩＤカード１０のＩＣモジュール１４に記録されているデータベース検索情報を読み出す。そして、ＩＣモジュール１４から読み出したデータベース検索情報を使用して、ＤＢ読み込み手段（入手手段）３５によりデータベース２へアクセスして、識別情報、個人情報などを読み出し、認識結果表示手段３６に出力して表示する。このとき、画像認識手段３２により識別情報が偽造又は認識情報が再生できないと判断された場合や、データ記録領域１１から読み出した識別情報とデータベースから読み出した識別情報とが一致しない場合には、偽造もしくはアクセス不可などの表示をＤＢ情報照合・表示手段３７にて行ない、データベースの個人情報は表示しない。また、このときに、ＩＣモジュール１４に不正カードである旨の記録をするようにしても良い。
【００４０】
そして、上記した各実施の態様において、データ記録領域（第１のデータ記憶領域）１１もしくはＩＣモジュール（第２のデータ記憶領域）１４又はデータベース２にアクセス情報記録部を設け、個人用ＩＤカード１０の認証回数や認証日時、認証場所、認証内容などのアクセス履歴情報を記録するようにしても良い。そして、ＩＣモジュール１４又はデータベース２に記録する場合には、書き込み手段３７（記録手段）により、アクセス履歴情報の書き込みを行うようにする。
【００４１】
さらに、上記した各実施の態様において、個人用ＩＤカード１０の所有者が正規の所有者であるかを認証する場合には、その場で所有者の顔又は指紋情報を画像情報入力手段３８によって入力し、データベース２もしくはＩＣモジュール１４、データ記録領域１１のいずれかに記録されている個人情報の一部である顔又は指紋情報（顔又は指紋画像、顔又は指紋の特徴点データなど）と情報比較手段３９にて比較し、比較結果もしくは双方の画像を表示手段３９に出力して、正規の所有者か否かを判断して、正規の所有者であると確認できたときのみ、個人情報の表示を可能にすることもできる。なお、データベース２もしくはＩＣモジュール１４、データ記録領域１１のいずれかに記録されている個人情報の一部である顔又は指紋情報を画像化して画像情報照合・表示手段３９に表示するだけでも良く、この場合はオペレータが所有者の顔又は指紋と比較して、正規の所有者であるか否かを判断することができる。
【００４２】
また、上記した各実施の態様において、ＩＣモジュールの替わり又は追加して磁気記録領域を設けても全く同様にして実現することができる。そして、第３の実施の態様を磁気記録領域として実施した場合、磁気記録領域に記録する識別信号は暗号化しておき、その復号キーを許可情報としてデータ記録領域１１に記録しておけば良い。
【００４３】
【発明の効果】
本発明のは、安全性の高いＣＧＨを用いたカード型光記録媒体の正当性を確実にしかも簡単に判断することができるという効果がある。
【００４４】
また、所有者本人が利用していることを確実に確認することができる。
【図面の簡単な説明】
【図１】本発明のカード認証システムに使用されるカード型光記録媒体の例を示す構成図である。
【図２】本発明のカード認証システムを含む全体システムの概略構成例を示すブロック図である。
【図３】本発明のカード認証システムの一実施の形態を示す構成図である。
【図４】光記録媒体に固有の識別情報を記録した例を示す説明図である。
【図５】本発明のカード認証システムの第１の実施の態様を説明するための図である。
【図６】本発明のカード認証システムの第２の実施の態様を説明するための図である。
【図７】本発明のカード認証システムの第３の実施の態様を説明するための図である。
【符号の説明】
１  カード発行システム
２  データベース
３  カード認証システム
１０  個人用ＩＤカード（カード型光記録媒体）
１１  データ記録領域（第１のデータ記録領域）
１２  顔写真領域
１３  情報印刷領域
１４  ＩＣモジュール（第２のデータ記録領域）
３１  ＣＧＨ再生手段（再生手段）
３２  画像認識手段（（第１の）読み出し手段）
３３  アクセスコード生成手段
３４  ＩＣデータ読み出し手段（第１の読み出し手段）
３５  ＤＢ読み込み手段（入手手段）
３６  ＣＧＨ認識結果表示手段 (ＣＧＨ・ＩＣデータ表示)
３７  ＣＧＨ・ＩＣ・ＤＢ情報照合表示手段
３８  顔情報入力手段（入力手段）
３９  顔情報比較手段（比較手段）
４０  書き込み手段（記録手段）
【図１】
0003722350.tif 000002
【図２】
0003722350.tif 000003
【図３】
0003722350.tif 000004
【図４】
0003722350.tif 000005
【図５】
0003722350.tif 000006
【図６】
0003722350.tif 000007
【図７】
0003722350.tif 000008